(57)【特許請求の範囲】
【請求項１】
リードスイッチ部とマグネット部から構成され、窓や扉の開閉を検知するマグネットスイッチにおいて、
第１リードスイッチと第２のリードスイッチを並設し、
前記第１のリードスイッチはマグネット部の磁界に入ると接点を閉じ、
前記第２のリードスイッチはマグネット部の磁界に入ると接点が開き、
前記マグネット部は窓や扉を閉めた際に前記第１のリードスイッチのみに近接するように設置したことを特徴とするマグネットスイッチ。
【請求項２】
請求項１記載のマグネットスイッチにおいて、
第１のリードスイッチと第２のリードスイッチのリード線は、それぞれ独立して、または、一方のリード線を共有にして接続することにより、扉または窓の開閉状態およびマグネット部以外の磁性体を前記第２のリードスイッチに近接して設置されたことをそれぞれ検知できることを特徴としたマグネットスイッチ。
【請求項３】
請求項１または請求項２のマグネットスイッチにおいて、
第２のリードスイッチはマグネット部の磁力線に直交する方向に設置したことを特徴とするマグネットスイッチ。
【請求項４】
請求項１または請求項２または請求項３記載のマグネットスイッチにおいて、
マグネット部は磁界を発生する磁石と当該磁石を収納するケースからなり、
第２のリードスイッチへの該磁石の磁力を遮断するための仕切板をケース内に設けたことを特徴とするマグネットスイッチ。
【発明の詳細な説明】
【０００１】
【発明の属する技術分野】
本発明は窓や扉等の開閉を検知するマグネットスイッチに係り、特に悪意の細工を検知できるマグネットスイッチに関する。
【０００２】
【従来の技術】
従来のマグネットスイッチは、リードスイッチ部１とマグネット部３から構成され、図７に示すようにそれぞれを扉枠と扉に設置する。扉閉時はマグネットとリードスイッチが近接しておりリードスイッチの接点は閉じ、一方、扉開時はリードスイッチとマグネットが離れることでリードスイッチの接点が開く。そして、リードスイッチにループを形成するようにしてリード線を接続し、該リード線に電流を流して、リードスイッチの接点の開閉による電流の通電・断線により窓や扉の開閉を検知している。
【０００３】
例えば、上述マグネットスイッチを機械警備システムに使用した場合、図８に示すようにリードスイッチ部１、リード線２、マグネット部３、警報送出部４で構成される。マグネット部３は窓、リードスイッチ部１は窓枠に設置され、リード線２には電流が流れるようにする。この場合、警備中は窓は閉まっておりリードスイッチの接点が閉じ、リード線２のループ内に電流が流れている。しかし、侵入者等により窓が開放されるとマグネット部３とリードスイッチ部１が離れ、該リードスイッチ部１はマグネット部３の磁力の近接がないため接点が開く。これによりリード線２のループ内に電流が流れていないことを警報送出器４が検知して遠隔地の図示しない集中管理センターに警報を送出する。
【０００４】
【発明が解決しようとする課題】
しかし上述マグネットスイッチはリードスイッチ部１に予め設置されているマグネット部以外の磁石を近接して設置しておき、窓や扉をあけても接点が開かないようにしておく、つまり侵入を目的とした者が警報を出力させないような細工が簡単にできるという問題があった。
【０００５】
そこで本発明は以上のような問題に鑑みてなされたもので、上述のようなマグネットスイッチの細工を検知できる同センサを提供することを目的としている。
【０００６】
【課題を解決するための手段】
本発明は上記問題点を解決するために、リードスイッチ部とマグネット部から構成され、窓や扉の開閉を検知するマグネットスイッチにおいて、第１リードスイッチと第２のリードスイッチを並設し、前記第１のリードスイッチはマグネット部の磁界に入ると接点を閉じ、前記第２のリードスイッチはマグネット部の磁界に入ると接点が開き、
前記マグネット部は窓や扉を閉めた際に前記第１のリードスイッチのみに近接するように設置している。また、第１のリードスイッチと第２のリードスイッチのリード線は、それぞれ独立して、または、一方のリード線を共有にして接続することにより、扉または窓の開閉状態およびマグネット部以外の磁性体を前記第２のリードスイッチに近接して設置されたことをそれぞれ検知できるようにしている。また、第２のリードスイッチをマグネット部の磁力線に直交する方向に設置ている。さらに、マグネット部は磁界を発生する磁石と当該磁石を収納するケースからなり、第２のリードスイッチへの該磁石の磁力を遮断するための仕切板をケース内に設けた。
【０００７】
【発明の実施の形態】
以下、本発明の実施の形態について図面に基づき詳細に説明する。
【０００８】
図１は本発明であるマグネットスイッチのブロック構成図で、１はリードスイッチ部で、第１のリードスイッチ部１ａと第２のリードスイッチ部１ｂから構成される。第１のリードスイッチ部１ａは磁石の磁界に入ると接点を閉じる。第２のリードスイッチ部１ｂは前記第１のリードスイッチ部１ａとは逆に磁石の磁界に入ると接点を開く。２はリード線で第１のリードスイッチ部１ａ、第２のリードスイッチ部１ｂおよび警報送出器４に接続されループを形成している。３はマグネット部でマグネット３ａが内蔵されている。マグネット３ａは永久磁石である。４は警報送出器で警備モード切替え器５の警備信号を入力すると警備を開始し、警備解除信号を入力すると警備を解除する。また、リード線２のループ内に電流を流す。さらに、警備中に第１のリードスイッチ部１ａまたは第２のリードスイッチ部１ｂの接点が開くと、つまりリード線２のループ内に電流が流れていないのを検知すると警報を出力する。また、警備切り替え時に第１のリードスイッチ部１ａまたは第２のリードスイッチ部１ｂの接点が開いていると図示しない鳴動手段または表示手段により操作者に点検を促す。警備モード切替え器５は操作者が操作することによって警報送出器４に警備信号または警備解除信号を出力する。
【０００９】
なお、第１のリードスイッチ部、第２のリードスイッチ部は、前述の条件で接点を開閉するものであれば何であっても良い。第１のリードスイッチ部とマグネット３ａは扉や窓を閉めた時に対向する位置に設置する。また、図１に示すように、第２のリードスイッチ部はマグネット部の近接によるマグネット３ａの磁力の影響を受け難くするために該マグネット３ａに対して位置をずらすとともに直交する方向に配置する。また、マグネット３ａは小型でしかも強い磁力が得られる合金（アルニコ、ニッケル、コバルト、鉄、銅の合金）やフェライトを用いるのが良い。また、コイルのように電流を流すことにより磁気を発するものであってもよい。警備モード切替え器５は、キー、カード、テンキー等、いずれの公知技術を用いてもよい。
【００１０】
次に図１、図２、図３を用いて本発明のマグネットスイッチを機械警備システムに用いた場合の動作を説明する。
【００１１】
本発明の実施例のマグネットスイッチは、リードスイッチ部１が扉や窓の枠、マグネット部が実際に開閉する扉や窓に設置される。
【００１２】
例えば、警備解除時で窓や扉が閉じている時、つまりリードスイッチ部１とマグネット部３が近接している時、第１のリードスイッチ部１ａはマグネット３ａの磁界に入っているため接点を閉じている。また、第２のリードスイッチ部１ｂはマグネット３ａの磁界には入らないので接点を閉じている。窓が開放している時は、図２に示すように第１のリードスイッチ部１ａはマグネット３ａと離れており磁界の外になるため接点が開いている。第２のリードスイッチ部１ｂは前述と同様接点を閉じている。上述、窓や扉が閉じている場合は第１のリードスイッチ部１ａ、第２のリードスイッチ部１ｂ共に接点が閉じているのでリード線２のループには電流が流れている。しかし、窓や扉が開放している場合は第１のリードスイッチ部１ａの接点が開いているので電流は流れない。
【００１３】
今ここで、侵入を目的とした悪意の第三者が図３に示すように、自分で持ち込んだ磁石６をリードスイッチ部１に近接するように設置したとする。この時、磁石６の磁力により第１のリードスイッチ部１ａはマグネット３ａの遠近に関係なく接点を閉じ、第２のリードスイッチ部１ｂは磁石６の磁界に入ることより接点を開く。ここで、操作者が警備モード切替え器５を操作し警備解除状態から警備状態にしようとすると、上述に示すとおり、第２のリードスイッチ部１ｂの接点が開いていることによりリード線２のループ内には電流が流れていないので、警報送出器４は前述リード線２に電流が流れていないことを検知して図示しないランプまたはブザー等の鳴動手段または文字情報等の表示手段によって操作者に点検を促す。以上のように、もし悪意の第三者が警備解除中にリードスイッチ部に磁石を近づける細工をしても、警備開始時に検知することができる。
【００１４】
次に、警備中において本マグネットスイッチに細工された場合について説明する。警備中は窓や扉は閉まっており第１のリードスイッチ、第２のリードスイッチ共に接点が閉じている。ここで、悪意の第三者が自分で持ち込んだ磁石６をリードスイッチ部１に近づける細工をした場合、第２のリードスイッチは前記磁石６の磁界に入り接点が開くので、警報送出器４はリード線２のループ内に電流が流れないのを検知して図示しない遠隔地のガードセンタに警報を送出する。
【００１５】
以上説明したように、本発明のマグネットスイッチは同センサの細工を検知することを可能としている。
【００１６】
次に図４を用いてマグネット部に仕切板３ｂを設置した場合の本願マグネットスイッチについて説明する。なお、図４において図１と同一部分には同一符号を付して重複説明は省略する。
【００１７】
仕切板３ｂは鉛やニッケル等の金属でマグネット３ａの磁力を遮断する役割をもつ。
【００１８】
例えば、上述同様、本願リードスイッチのリードスイッチ部１を扉や窓の枠、マグネット部３を実際に開閉する扉や窓に設置した場合、扉閉時はリードスイッチ部１とマグネット部３は近接する。この時マグネット部３は第１のリードスイッチ１ａのみがマグネット３ａの磁界に入るように配置している。このような配置にすることで第２のリードスイッチ１ｂにはマグネット３ａの磁界に入らないようにしている。さらに仕切板３ａが第２のリードスイッチ１ｂ方向のマグネット３ａの磁力を遮断するので、第２のリードスイッチ１ｂは確実にマグネット３ａの磁界に入らなくなる。これにより、第１のリードスイッチ１ａと第２のリードスイッチ１ｂを近接して配置することが可能となるので、マグネット部３を小型化することができる。
【００１９】
なお、仕切板３ｂは鉛やニッケル以外でもマグネット３ａの磁力を遮断する能力の高いものであればなんであってもよい。
【００２０】
［実施例２］
次に図５を用いて本願マグネットスイッチの第２の実施例について説明する。なお、図４と同一部分には同一符号を付け重複説明は省略する。
【００２１】
２ａは第１のリード線で第１のリードスイッチ部１ａおよび警報送出器４に接続されループを形成している。２ｂは第２のリード線で第２のリードスイッチ部１ｂおよび警報送出器４に接続されループを形成している。警報送出器４は警備中に第１のリードスイッチ部１ａまたは第２のリードスイッチ部１ｂの接点が開くと、つまり第１のリード線２ａまたは第２のリード線２ｂのいずれかのループ内に電流が流れていないのを検知すると警報を出力する。また、警備切り替え時に第１のリードスイッチ部１ａまたは第２のリードスイッチ部１ｂの接点が開いていると図示しない鳴動手段または表示手段により操作者に点検を促す。
【００２２】
次に本願マグネットスイッチの第２の実施例の動作について説明する。
【００２３】
例えば、警備解除時で窓や扉が閉じている時、つまりリードスイッチ部１とマグネット部３が近接している時、第１のリードスイッチ部１ａはマグネット３ａの磁界に入っているため接点を閉じている。また、第２のリードスイッチ部１ｂも接点を閉じている。しかし、窓や扉が開放している時は、第１のリードスイッチ部１ａはマグネット３の磁界の外になるため接点が開いている。第２のリードスイッチ部１ｂは前述と同様接点を閉じている。上述、窓や扉が閉じている場合は第１のリードスイッチ部１ａ、第２のリードスイッチ部１ｂ共に接点が閉じているのでリード線２ａ、リード線２ｂのループには電流が流れている。また、窓や扉が開放している場合は第１のリードスイッチ部１ａの接点が開いているので電流は流れない。
【００２４】
今、侵入を目的とした悪意の第三者が自分で持ち込んだ磁石をリードスイッチ部１に近接するように設置したとする。この時、前記磁石の磁力により第１のリードスイッチ部１ａはマグネット３ａの遠近に関係なく接点を閉じ、第２のリードスイッチ部１ｂは前記磁石の磁界に入ることにより接点を開く。ここで、操作者が警備モード切替え器５を操作し警備解除状態から警備状態にしようとすると、上述に示すとおり、第２のリードスイッチ部１ｂの接点が開いていることによりリード線２ｂには電流が流れていないので、警報送出器４は前述リード線２ｂに電流が流れていないことを検知してランプまたはブザー等の鳴動手段または文字情報等の表示手段によって操作者にセンサの細工であることを伝達し点検を促す。さらに、警報送出器４は遠隔地のガードセンターに警報を送出する。
【００２５】
次に、警備解除時で窓が開いている場合について説明する。この時、リードスイッチ部とマグネット部３は離れているので第１のリードスイッチ１ａは接点を開いていて、第２のリードスイッチ１ｂは接点を閉じている。ここで、操作者が警備モード切替え器５を操作し警備解除状態から警備状態にしようとすると、第１のリードスイッチ部１ａの接点が開いていることによりリード線２ａには電流が流れていないので、警報送出器４は前述リード線２ａに電流が流れていないことを検知してランプまたはブザー等の鳴動手段または文字情報等の表示手段によって操作者に窓の閉め忘れであることを伝達し点検を促す。
【００２６】
［実施例３］
次に図６を用いて本願マグネットスイッチの第３の実施例について説明する。なお、図４と同一部分には同一符号を付け重複説明は省略する。
【００２７】
２ａａは第１のリード線で第１のリードスイッチ部１ａと警報送出器４に接続されている。２ｂｂは第２のリード線で第２のリードスイッチ部１ｂと警報送出器４に接続されている。２ｃは共通リード線で第１のリードスイッチ部１ａと第２のリードスイッチ部１ｂと警報送出器４に接続されている。また、共通リード線２ｃと第１のリードスイッチ部１ａ、共通リード線２ｃと第２のリードスイッチ部１ｂはそれぞれループを形成している。警報送出器４は警備中に第１のリードスイッチ部１ａまたは第２のリードスイッチ部１ｂの接点が開くと、つまり共通リード線２ｃと第１のリード線２ａａまたは第２のリード線２ｂｂのいずれかのループ内に電流が流れていないのを検知すると警報を出力する。また、警備切り替え時に第１のリードスイッチ部１ａまたは第２のリードスイッチ部１ｂの接点が開いていると図示しない鳴動手段または表示手段により操作者に点検を促す。
【００２８】
第３の実施例の動作については第２の実施例と同様なので省略する。
【００２９】
以上第２、３の実施例のようにリードスイッチを配線することによって、悪意の第三者によるセンサの細工および扉や窓の閉め忘れをそれぞれ検知することができる。
【００３０】
【発明の効果】
以上説明したように、本発明のマグネットスイッチは、マグネット部と２つのリードスイッチから構成されていて、１つは磁石の磁界に入ると接点を閉じ、もう一方は磁石の磁界に入ると接点を開く構造なので、前記磁石以外の磁石をリードスイッチ部に近接して接点を開かないようにするという細工が検知できる。さらにマグネット部に磁石の磁力を遮断する仕切板を設ける、および、第２のリードスイッチをマグネット部の磁力を受けないような配置にしているので、信頼性の高いマグネットスイッチの細工検知を可能としている。また、前記のように第２のリードスイッチ部には磁力が影響しないようにしていることで２つのリードスイッチを近くに配置することが可能でリードスイッチ部を小型化することができる。
また、第１リードスイッチと第２のリードスイッチのリード線を、それぞれ独立して、または、一方のリード線を共有にして接続することにより、扉または窓の開閉状態およびマグネット部以外の磁性体を第２のリードスイッチに近接して設置されたことをそれぞれ検知できる。
以上により、外見上従来のマグネットスイッチと同様であるが確実に該マグネットスイッチの細工を検知できる。
【図面の簡単な説明】
【図１】本発明のマグネットスイッチのブロック構成図を示す。
【図２】図１におけるマグネット部とリードスイッチ部が離れた場合の図を示す。
【図３】磁石の磁力の近接による本発明のマグネットスイッチの細工の図を示す。
【図４】マグネット部に仕切板を設けた本願マグネットスイッチの図を示す。
【図５】本発明の第２の実施例のブロック構成図を示す。
【図６】本発明の第３の実施例のブロック構成図を示す。
【図７】扉と扉枠に設置されたマグネット部とリードスイッチ部を示す。
【図８】従来のマグネットセンサのブロック図を示す。
【符号の説明】
１            リードスイッチ部
１ａ          第１のリードスイッチ部
１ｂ          第２のリードスイッチ部
２            リード線
２ａ          第１のリード線
２ａａ        第１のリード線
２ｂ          第２のリード線
２ｂｂ        第２のリード線
２ｃ          共通リード線
３            マグネット部
３ａ          磁石
３ｂ          仕切板
４            警報送出器
５            警備モード切替え
６            磁石
【図１】
0004235979.tif 000002
【図２】
0004235979.tif 000003
【図３】
0004235979.tif 000004
【図４】
0004235979.tif 000005
【図５】
0004235979.tif 000006
【図６】
0004235979.tif 000007
【図７】
0004235979.tif 000008
【図８】
0004235979.tif 000009